(57)【要約】【課題】複数の製造業者の電話機に対する一貫したユーザインタフェースをもたらす方法および器具を提供すること。【解決手段】遠隔通信ネットワーク（３０）は、ＳＩＰなどあるプロトコルを使用して、通信する複数の機器を含む。パケット電話機（３２）は、ネットワーク機器とＧＰＳ（３４）を使用して通信する。ＧＰＳ（３４）は、パケット電話機（３２）用ＧＵＩ（グラフィカルユーザインタフェース）を提供する。ユーザが機能を実行するために、ＧＵＩを操作すると、電話機に接続するＧＰＳ（３４）にイベントデータを送信する。ＧＰＳ（３４）は、イベントデータを解釈し、ＳＩＰ（あるいは他のプロトコル）命令を生成して、ユーザが望むように、通信セッションを開始、変更、および終了する。【選択図】図２
2010200378.tif 000002
【特許請求の範囲】
【請求項１】
既知のプロトコルに準拠する命令に応答する通信セッションを可能にするためのデジタルネットワークに接続された複数の機器を接続する、該ネットワークを介して通信する方法であって、
グラフィカルプロキシサーバから複数の電話機に、グラフィカルインタフェースをダウンロードするステップと、
前記電話機から前記グラフィカルプロキシサーバに、前記グラフィカルインタフェースを使用するユーザによる動作に関連する制御情報をアップロードするステップと、
前記制御情報に応答して前記既知のプロトコルに準拠する命令を生成するステップと、
前記命令に応答する電話機間でデータを送受信するステップと、
を含む方法。
【請求項２】
前記送受信するステップが、前記電話機間でパケット化データを送受信するステップを含む、請求項１に記載の方法。
【請求項３】
前記機器の１以上に前記命令を送信するステップを更に含む請求項１に記載の方法。
【請求項４】
前記アップロードするステップが、グラフィックスプロトコルを使用して、制御情報をアップロードするステップ含む請求項１の方法。
【請求項５】
命令を生成する前記ステップが、ＳＩＰプロトコルを使用して、命令を生成するステップを含む請求項１に記載の方法。
【請求項６】
命令を生成する前記ステップが、ＭＧＣＰプロトコルを使用して、命令を生成するステップを含む請求項１に記載の方法。
【請求項７】
グラフィカルプロキシサーバからネットワークを介して、グラフィカルインタフェース情報を受信する回路と、
既知のプロトコルに翻訳するために、前記ネットワークを介して前記グラフィカルプロキシサーバに、前記グラフィカルインタフェースによりユーザの取る動作を示す、制御情報を送信する回路と、
を含む電話機。
【請求項８】
前記制御情報を、グラフィックスプロトコルを使用して生成する、請求項７に記載の電話機。
【請求項９】
ネットワークを介して電話機に、グラフィカルインタフェース情報を送信する回路と、
前記ネットワークを介して前記電話機から前記グラフィカルインタフェースによりユーザの取る動作を示す、制御情報を受信する回路と、
前記制御情報に応答する既知のプロトコルの命令を生成する回路と、
を含むグラフィカルプロキシサーバ。
【請求項１０】
前記既知のプロトコルが、ＳＩＰである請求項９に記載のグラフィカルプロキシサーバ。
【発明の詳細な説明】
【技術分野】
【０００１】
本発明は、一般には通信に関し、さらに詳細にはデジタル通信システムに関する。
【背景技術】
【０００２】
最近の２０年の間に、通信の可能性は劇的に増大した。現在の通信ネットワークは、今や複数の私的な補足的な会話（ｐｒｉｖａｔｅ  ｓｉｄｅｂａｒ  ｃｏｎｖｅｒｓａｔｉｏｎｓ）を含む多元会議、プログラム可能な「フォロウミー」コール（“ｆｏｌｌｏｗ−ｍｅ”ｃａｌｌｉｎｇ）、および高度な音声メールの選択など高度な機能を提供することができる。
【０００３】
残念なことに、通信ネットワークへの主インタフェースである、１２のキー電話パッドは、変わっていない。その結果、多くの利用可能な機能はまれにしか利用されない、というのは一連のキーによる機能の利用は直感的でなく、誤りを起こしやすい。幾つかのケースでは、機能をユーザが、電話機ではなくコンピュータインタフェースにより用意することができる。例えば、フォロウミーコールにより、ユーザは単一の電話番号を持ち、その番号を用いて特定の順序により、自宅の電話番号、職場の電話番号、携帯電話、および音声メールなどユーザに関連する多くの通信機器にアクセスする。ユーザは、順序を定め、その順序で、日時、時間など、ある基準に関係して通信機器にアクセスする。例えば、ユーザは、仕事日の順序を定めることができ、その順序では、１番目に自身の仕事番号にアクセスし、２番目に秘書の番号にアクセス、３番目に携帯電話、４番目に音声メールにそれぞれアクセスする。週末の順序は、１番目に自宅の電話、２番目に携帯電話、３番目に音声メールとすることができる。希望する順序をネットワークプロバイダのデータベースに格納する。ユーザプログラミングの負荷を軽減するために、あるプロバイダは、データベースをユーザにより、インタネット接続を経由し、ウエブページを通して、変更可能としている。しかしながら、別のコンピュータ接続を使用するのは、しばしば不便であり、かつインタネットのサービス提供は、変更の頻繁でないあるタイプの機能に限って、適正に使用できる。
【０００４】
最近、ＳＩＰ（Ｓｅｓｓｉｏｎ  Ｉｎｉｔｉａｔｉｏｎ  Ｐｒｏｔｏｃｏｌ：セッション開始プロトコル）が、開発され、デジタル通信ネットワーク（これは、インタネットまたは他のグローバルデータネットワークを含み得る）を介して、ＶＯＩＰ（Ｖｏｉｃｅ  ｏｖｅｒ  Ｉｎｔｅｒｎｅｔ  Ｐｒｏｔｏｃｏｌ：インタネットプロトコルを介した音声）を使用する高度な電話サービスの提供を支援している。グラフィカルインタフェースを備えた電話機を使用して、ユーザは、容易に電話機のスクリーン上のオブジェクトを操作して、１人以上の参加者との多元遠隔通信セッションを、開始、変更および終了させることができる。
【発明の概要】
【発明が解決しようとする課題】
【０００５】
ＳＩＰ電話の問題点は、標準のグラフィカルユーザインタフェース（ＧＵＩ）が無いことである。各ＳＩＰ電話製造業者は、自由に自分のＧＵＩを設計する。従って、ユーザは、一つのインタフェースに慣れ、異なるインタフェースを持つ電話機を使用するのが困難になる。１つの家庭または事務所が、複数の製造業者の電話機を使用することがあり得るので、高度な機能に簡単にアクセスするのにＳＩＰ電話を使用する利点は、大いに減じられる。
【０００６】
それ故、複数の製造業者の電話機に対して一貫したユーザインタフェースを提供する方法および器具の必要が高まっている。
【課題を解決するための手段】
【０００７】
本発明では、通信システムは、既知のプロトコルに準拠する命令に応答する通信セッションを可能にするために、デジタルネットワークおよびネットワークに接続された複数の機器を含む。複数の電話機は、通信セッションの間ネットワークを介して、パケット化したデータを送受信することにより通信するためのネットワークに接続される。１以上のグラフィカルプロキシサーバが複数の電話機に接続され、電話機にグラフィカルインタフェースを提供し、グラフィカルインタフェースを使用するユーザによる動作に関連する制御情報を受信し、制御情報に応答して既知のプロトコルに準拠する命令を生成する。
【０００８】
本発明は、従来技術に対して、かなりの利点を提供する。まず、ネットワークプロバイダは、そのネットワーク上のグラフィカルプロキシサーバを制御するので、使用する電話機のブランドに関わらず、全てのネットワークのユーザに一貫したインタフェースを提供することができる。機能と能力が付加されているので、これらの機能を含むように、電話機のグラフィカルインタフェースを、容易に高度化することができる。
【０００９】
本発明およびその利点の完全な理解のために、添付する図面を用いて行う以下の説明を参照する。
【図面の簡単な説明】
【００１０】
【図１】現在考えられるＶＯＩＰを使用する通信ネットワークのブロック図を示す図である。
【図２】本発明を使用する通信ネットワークのブロック図を示す図である。
【図３】パケット電話機とグラフィカルＳＩＰプロキシサーバ間の通信を示す図である。
【図４】パケット電話機のブロック図を示す図である。
【発明を実施するための形態】
【００１１】
本発明は、種々の図面の同じ要素に同じ番号を使用する、図１から４に関連して、最も良く理解される。
【００１２】
図１は、パケットベースの次世代ネットワーク（ＮＧＮ）の実施に対する現在の見方を示す。パケットベースのネットワーク１０は、遠隔通信トラフィックの主キャリヤである。ネットワーク１０は、例えばＩＰ（Ｉｎｔｅｒｎｅｔ  Ｐｒｏｔｏｃｏｌ：インタネットプロトコル）またはＡＴＭ（Ａｓｙｎｃｈｒｏｎｏｕｓ  Ｔｒａｎｓｆｅｒ  Ｍｏｄｅ：非同期転送モード）を使用することができる。従来の電話機１２（すなわち今日の電話機および公衆交換電話網に適合する同様な機器）は、直接あるいはデジタルループキャリア１６によりアクセスゲートウエイ１４を介して、ネットワーク１０に接続される。アクセスアクセスゲートウエイ１４は、ＭＧＣＰ（Ｍｅｄｉａ  Ｇａｔｅｗａｙ  Ｃｏｎｔｒｏｌ  Ｐｒｏｔｏｃｏｌ：メディアゲートウエイ制御プロトコル）あるいはＭＥＧＡＣＯ（Ｈ．２４８）などのプロトコルを使用して、従来のアナログ電話機器とネットワーク１０の間をインタフェースする。
【００１３】
ＳＩＰ電話機１８は、ネットワーク１０に直接に接続することができる。ＳＩＰ電話機は、インテリジェントな機器であり、中央交換局（すなわち中央局）から独立のプロセッサを含み、１以上のプロセッサを有して、通信セッションを開始、変更および終了させる。
【００１４】
トランクゲートウエイ２０は、パケットネットワーク１０とＰＳＴＮ（ｐｕｂｌｉｃ  ｓｗｉｔｃｈｅｄ  ｔｅｌｅｐｈｏｎｅ  ｎｅｔｗｏｒｋ：公衆交換電話網）２２との間のインタフェースを提供する。
【００１５】
ソフトスイッチ２４、アプリケーションサーバ２６およびメディアサーバ２８は、高度な機能の提供を手助けする。ソフトスイッチは、ソフトウエアベースのエンティティであり、呼制御機能を提供する。ソフトスイッチは、ＳＩＰ，ＭＧＣＰおよびＭＥＧＡＣＯなどの複数のパケットベースのプロトコルをサポートでき、かつＣＡＳ，ＩＮＡＰ，ＩＳＤＮ，ＳＳ７，ＴＣＡＰおよびＴＣＰ／ＩＰなどの複数の電話およびデータプロトコルをサポートすることができる。ソフトスイッチ２４は、種々のゲートウエイによりＰＳＴＮ２２とインタフェースすることができる。
【００１６】
ＳＩＰ環境では、ソフトスイッチ２４は、名前の分析およびユーザロケーション―ドメインサーバに類似―のＳＩＰプロキシサーバとして動作できる。このように、名前（ドメインネームに類似）は、現在のＩＰアドレスと動的に関連することができる。また、ＳＩＰプロキシサーバは、パケットの再配向に使用することができ、プロキシサーバは、他のネットワーク要素に対して、ユーザのＳＩＰ端末のような「振りをし」、実際のＳＩＰ端末（あるいは、別のプロキシサーバも考えられる）にメッセージを転送する。
【００１７】
アプリケーションサーバ２６は、音声メール、会議の橋渡し、プリペイドコールあるいはエンドユーザへのサービスおよび情報の配送などの通信を終了させ得るサービスを提供する。アプリケーションサーバは、インタネットなど他のデータネットワークに接続して、情報システムにアクセスすることができる。
【００１８】
メディアサーバ２６は、メディアゲートウエイ制御装置（図示しない）の制御の下で、メディアの処理を提供する。メディアサーバ２６は、例えば音声メールに対する音声蓄積および応答、あるいはビデオストリームを提供することができる。
【００１９】
動作中は、ＳＩＰ電話機１８は、ＳＩＰプロトコルを使用し、ネットワーク１０を介して通信することによりサービスを提供する。ＳＩＰプロトコルは、フレキシブルに設計されており、任意のタイプの音声あるいはデータ通信を収容する。例えば、電話会議（ｃｏｎｆｅｒｅｎｃｅ  ｃａｌｌ)を、マルチキャストあるいは網状のユニキャスト関係あるいは両者の組み合わせを使用して、サポートすることができる。電話会議の参加者は、例えば会議参加者の一人と補足的な私的通信、および別の参加者とインスタントメッセージング（テキスト）通信をすることができる。この通信は、音声かつ／または映像成分を有することができる。
【００２０】
ＳＩＰプロトコルは、スマート（ｓｍａｒｔ）端末（ＳＩＰ電話機１８）および「スマートでない（ｄｕｍｂ）」ネットワークを使用することを前提とする。従って、ネットワーク１０は、電話機に指示されたようにデータを伝達し、ＳＩＰ機器間の通信タイプにフレキシビリティを許容する。各ＳＩＰ電話機は、通信セッションを開始、変更および終了させる方法の決定にフレキシビリティを有する。例えば、ある製造者は、共通のセッションタイプを制御する多数のボタンを有するＳＩＰ電話機を提供することがあり得、一方他者は、接触感知スクリーンを備えたよりグラフィカルなインタフェースに頼ることがあり得る。特に、通信セッションを開始するためにユーザが取る動作は、電話機タイプ間で異なり得る。例えば、あるＳＩＰ電話機は、ＳＩＰ電話機のスクリーン上に示された別の「部屋」に、参加者の一人を示すグラフィカルな表示をドラッグすることにより、補足的な会話（ｓｉｄｅｂａｒ  ｃｏｎｖｅｒｓａｔｉｏｎ）を開始することができる。別のＳＩＰ電話機は、ある参加者をクリックし、ドロップダウンボックスから「サイドバー（ｓｉｄｅｂａｒ）」を選択することにより、補足的な会話を開始することができる。セッションを開始（変更および終了させる）する方法に関するバリエーションには、ほとんど限りが無い。従って、ＳＩＰ電話機は、ユーザフレンドリたろうとして、良く失敗する可能性がある。
【００２１】
図２は、本発明の好ましい実施形態を示し、電話機のユーザインタフェースを、ネットワークプロバイダを介して制御し、ネットワークプロバイダはネットワークを通して一貫性のある動作をするＧＵＩを確立することができる。
【００２２】
図２に示すように、システム３０は、図１のシステムと類似だが、ＳＩＰ電話機１８の替わりに、「パケット」電話機３２およびグラフィカルプロキシサーバ（ＧＰＳｓ）３４を使用するのが例外である。パケット電話機３２は、パケット電話機のＧＵＩとのユーザ動作に関する制御情報を提供する、グラフィックスプロトコルを使用して、ネットワーク１０を介して、関連するＧＰＳ３４と通信する。ＧＰＳは、ＳＩＰを使用して、ネットワークを介して、他の機器と通信する。
【００２３】
動作中、各パケット電話機３２は、所定のネットワークアドレスのＧＰＳ３４と接続される。典型的には、ネットワークは、複数のＧＰＳ３４を有し、各ＧＰＳ３４は、パケット電話機３２のサブセットにサービスする。ＧＰＳ３４は、待ち時間を最短にするためには、近くにあることが強く要求されるわけではないが、接続するパケット電話機３２の近くに位置すべきである。パケット電話機３２を、まずネットワーク１０に接続すると、パケット電話機３２を接続するＧＰＳ３４は、ディスプレイのサイズ、色の深さ、メモリサイズ、プロセッサの速度および入力機器などのパケット電話機３２の性能を判定する。パケット電話機の性能に基づいて、グラフィカルユーザインタフェースプログラムをパケット電話機３２にダウンロードする。グラフィカルユーザインタフェースの動作は、特定のパケット電話機３２の性能によって、変化する可能性がある。例えば、住宅または事務所に適した大きなカラースクリーンを有するパケット電話機３２は、携帯電話機より、大きな、より詳細なアイコンを用いることができる。あるいは、パケット電話機３２に、単独のＧＵＩプログラムをダウンロードして、実行に際し、ＧＵＩプログラムの構成を決めることができる。
【００２４】
グラフィカルユーザインタフェースを、ＨＴＭＬ（ＨｙｐｅｒＴｅｘｔ  Ｍａｒｋｕｐ  Ｌａｎｇｕａｇｅ：ハイパーテキストマークアップランゲージ）の変形および／またはＪＡＶＡ（登録商標）などのプロセッサに独立の言語を使用して、提供することができる。プロセッサに独立の言語を使用して、「仮想マシーン」を使用して、共通の命令セットを機器で使用するプロセッサの固有の言語に翻訳する。
【００２５】
ＧＰＳをウエブサーバ（あるいは一揃いのウエブサーバ）に似せて構成し、ＳＩＰ（または他の望ましいプロトコル）を使用して、受信するユーザの動作を他のネットワーク機器に伝送する命令に翻訳する処理能力を持たせることができる。
【００２６】
図３に見るように、図形オブジェクトをクリックしたり（またはタッチスクリーンを使用してオブジェクトを押したり）、オブジェクトのグラフィックを移動したり、オブジェクトを他のオブジェクトにドロップしたり、あるいはキーを押したりして、ユーザが、パケット電話機３２上で特定の動作をすると、ユーザの取る動作（「イベント」）に関する制御情報は、グラフィックスプロトコルを使用して、ＧＰＳ３４に送られる。ＧＰＳに送られたイベント情報に依存して、ＧＰＳ３４は、パケット電話機３２に、グラフィックスデータまたはＧＵＩ制御情報を送り、ネットワーク１０の他の機器にＳＩＰ命令を送り、セッションを開始、変更および終了することができる。また、図３に示すように、ＧＰＳ３４は、パケット電話機３２から音声やビデオパケットなどのセッションデータを受信する必要は無く、パケット電話機のグラフィカルインタフェースの動作からデータを受信さえすれば良い。
【００２７】
ネットワーク１０の他機器の立場からすれば、ＳＩＰ電話機１８から命令を受信するように、ＧＰＳ３４からＳＩＰ命令を受信する。本発明の動作は、従ってネットワーク１０の他の機器に透明である。従って、ＳＩＰ電話機１８がＧＰＳ３４経由ではなく直接にＳＩＰ命令を交信できるのと同じように、ＧＰＳ３４をネットワーク１０上で使用できる。
【００２８】
注意を要するのは、幾つかのユーザ動作は、ＧＰＳ３４にイベント情報を送信することなく、ＧＵＩプログラムの流れを変えることがあることである。例えば、ユーザは、電話会議（ｃｏｎｆｅｒｅｎｃｅ  ｃａｌｌ)開始の希望を示すＧＵＩを使用して、動作を起こすことができる。この動作により、ＧＰＳ３４に情報を送信することなく、電話会議の選択を有する新しいスクリーンに移ることができる。同様に、ＧＰＳ３４は、パケット電話機３２から受信するイベント情報のそれぞれに、必ずしもＳＩＰ命令を出力しない。ＧＰＳ３４は、追加のイベント情報を待つ、あるいはパケット電話機３２に追加のプログラムおよび／またはグラフィックスをダウンロードする、あるいは制御情報を送信して、ＧＵＩの流れを制御することが出来る。
【００２９】
図４は、パケット電話機３２の可能な実装の基本的ブロック図を示す。１または複数の処理装置４０を、バスサブシステム５０を介して、メモリサブシステム４２、ディスプレイ制御装置４４、Ｉ／Ｏサブシステム４６およびネットワークインタフェース４８に接続する。ディスプレイ制御装置４４はディスプレイ５２を制御する。Ｉ／Ｏサブシステム４６は、処理装置４０、メモリサブシステム４２、およびＩ／Ｏ機器５４間でデータを伝達する。ネットワークインタフェース４８は、ネットワーク１０に接続される。
【００３０】
処理装置４０は、汎用プロセッサ、デジタル信号プロセッサ（ＤＳＰ）および共通プロセッサ含むことが出来る。メモリサブシステムは、ダイナミックラム、スタティックラムなどの揮発性メモリ、フラッシュメモリなどの不揮発性メモリを含むことが出来る。Ｉ／Ｏ機器５４は、会話用のマイクロフォンおよびスピーカだけでなく、キー、トラックボール、マウス、タッチスクリーンなどの入力機器を含むことが出来る。Ｉ／Ｏサブシステム４６は、またＵＳＢ（ｕｎｉｖｅｒｓａｌ  ｓｅｒｉａｌ  ｂｕｓ：汎用シリアルバス）およびＩＥＥＥ１３９４ポートなどのコンテンツ用ポートを提供し、デジタルスチルカメラ、デジタルビデオカメラ、コンピュータ、ハードドライブ、および他のメモリ機器などの種々のソースから、データ、ビデオ、グラフィックスを受信することが出来る。ディスプレイ５２は、カソードレイチューブ、ＬＣＤ（ｌｉｑｕｉｄ  ｃｒｙｓｔａｌ  ｄｉｓｐｌａｙ：液晶ディスプレイ）、あるいはＯＬＥＤ（ｏｒｇａｎｉｃ  ｌｉｇｈｔ  ｅｍｉｔｔｉｎｇ  ｄｉｏｄｅｓ：有機発光ダイオード）などの多くの技術からいずれかを使用することが出来る。
【００３１】
動作中、パケット電話機を、まずＧＰＳ３４のアドレスによりプログラムする。また、パケット電話機は、ＪＶＭ（ＪＡＶＡ（登録商標）  Ｖｉｒｔｕａｌ  Ｍａｃｈｉｎｅ：ＪＡＶＡ（登録商標）仮想マシーン）などのＧＰＳおよびハード関連プログラムへのアクセスを可能にするのに必要なある基本プログラムを有する。パケット電話機をネットワーク１０に接続すると、パケット電話機は、自動的にＧＰＳ３４にアクセスする。この時点で、ＧＰＳ３４は、パケット電話機３２の性能を判定し、その特定のパケット電話機３２に適切なＧＵＩコードをダウンロードする。
【００３２】
パケット電話機３２へＧＵＩコードをダウンロードすることについては幾つかの選択肢がある。一実施形態では、パケット電話機３２は、ＧＰＳ３４をホームページに指定して、インタネットウエブブラウザに似た動作をする。この実施形態では、ＧＵＩの動作コードをＧＰＳ３４に格納し、ＧＰＳ３４において、パケット電話機３２は、使用中に、コードにアクセスする。グラフィックス、およびＪＡＶＡ（登録商標）（あるいは似た言語）コードなどのある種のオブジェクトを、メモリサブシステム４２にキャッシュすることが出来る。この実施形態は、高速接続でネットワークにアクセスするパケット電話機３２に対して最適に動作する、というのはパケット電話機３２とＧＰＳ３４の間には、授受するＧＵＩデータが多く存在するからである。
【００３３】
第２の実施形態では、大部分のＧＵＩコードは、パケット電話機３２のメモリサブシステム４２に格納されている。この実施形態では、パケット電話機３２の動作は、使用中、パケット電話機３２とＧＰＳ３４の間のより少ないデータ転送により進行することが出来る。この実施形態は、接続速度のより遅い、電力消費要求のより厳しい、携帯機器により適する。携帯機器では、ＧＵＩコードの格納には、不揮発性メモリが好ましい、というのは電力が頻繁に切れるからである。この実施形態は、また他の電話機に使用し、最も良く対応するＧＵＩを提供することが出来る。
【００３４】
ＧＵＩコードのパケット電話機３２に格納される部分は、従って各ネットワークプロバイダの設計により決まる。異なるタイプの電話機に対応するには、幾つかの変形を利用可能である。
【００３５】
留意を要するのは、ＧＰＳ３４を、ＳＩＰを使用して他のネットワーク機器と通信するように説明しているが、ＧＰＳ３４は、ＭＧＣＰ、あるいはＭＥＧＡＣＯなどの任意のプロトコル、あるいは複数のプロトコルで通信することが出来ることである。ＧＰＳは、ネットワーク機器と、異なるプロトコルを使用して、通信するために、いつでも再プログラム可能である。パケット電話機３２は、使用するプロトコルを関知しないので、技術が進むと、電話機を更新することなく、プロトコルをＧＰＳ３４で変更可能である。
【００３６】
本発明は、従来技術に対して、かなりの利点を提供する。まず、ネットワークプロバイダは、ＧＰＳ３４を制御するので、使用するパケット電話機のブランドに関係なく、ネットワークの全てのユーザに、一貫したインタフェースの提供が可能である。機能と性能が追加されると、パケット電話機３２のＧＵＩは、これらの機能を含むようにＧＰＳにより、容易に更新できる。
【００３７】
本発明の詳細な説明を、ある例示的実施形態について、行ったが、これら実施形態の種々の変形、ならびに代替実施形態は、当業者に示唆を与える。本明細書に示したネットワークの構成図は、例示の容易化のために、単純化していることに留意すべきである。実際のネットワークはより多くの機器を提供し、技術が進歩すると、多くの異なるタイプの機器をサポートすることが出来る。本発明は、請求の範囲にあるあらゆる変更、あるいは代替実施形態を包含する。
【符号の説明】
【００３８】
１０  パケットベースのネットワーク
１２  従来の電話機
１４  アクセスゲートウエイ
１６  デジタルループ搬送ライン
１８  ＳＩＰ電話機
２０  トランクゲートウエイ
２２  ＰＳＴＮ
２４  ソフトスイッチ
２６  アプリケーションサーバ
２８  メディアサーバ
３０  システム
３２  パケット電話機
３４  グラフィカルプロキシサーバ
４０  処理装置
４２  メモリサブシステム
４４  ディスプレイ制御装置
４６  Ｉ／Ｏサブシステム
４８  ネットワークインタフェース
５０  バスサブシステム
５２  ディスプレイ
５４  Ｉ／Ｏ機器
【図１】
2010200378.tif 000003
【図２】
2010200378.tif 000004
【図３】
2010200378.tif 000005
【図４】
2010200378.tif 000006
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
既知のプロトコルに準拠する命令に応答する通信セッションにより通信が可能な複数のグラフィカルプロキシサーバと複数の電話機が接続された、デジタルネットワークを介して通信する方法であって、
グラフィカルプロキシサーバに接続された、前記既知のプロトコルに準拠する命令に応答する通信セッションにより通信が可能な前記電話機とは異なる別の電話機が最初に前記デジタルネットワークに接続されたときに、前記グラフィカルプロキシサーバによって、前記別の電話機の性能を判定するステップと、
前記別の電話機の前記性能基づいて、前記グラフィカルプロキシサーバの１つに接続された複数の別の電話機に、前記グラフィカルプロキシサーバからグラフィカルインタフェースをダウンロードするステップと、
前記別の電話機から前記グラフィカルプロキシサーバへ、前記グラフィカルインタフェースを介して入力されたイベントに関連する制御情報をアップロードするステップと、
前記グラフィカルプロキシサーバが、前記制御情報に応答して前記既知のプロトコルに準拠する命令を生成するステップと、
前記別の電話機と前記既知のプロトコルに準拠する前記命令に応答する前記電話機との間で前記デジタルネットワークを介してデータを送受信するステップと、
を含む方法。
【請求項２】
前記送受信するステップが、前記電話機間でパケット化データを送受信するステップを含む、請求項１に記載の方法。
【請求項３】
前記機器の１以上に前記命令を送信するステップを更に含む請求項１に記載の方法。
【請求項４】
前記アップロードするステップが、前記グラフィカルインタフェースに入力された前記イベントに関する制御情報を提供するグラフィックスプロトコルを使用して、制御情報をアップロードするステップ含む請求項１の方法。
【請求項５】
命令を生成する前記ステップが、ＳＩＰプロトコルに準拠した命令を生成するステップを含む請求項１に記載の方法。
【請求項６】
命令を生成する前記ステップが、ＭＧＣＰプロトコルに準拠した命令を生成するステップを含む請求項１に記載の方法。
【請求項７】
グラフィカルプロキシサーバに接続された、既知のプロトコルに準拠する命令に応答する通信セッションにより通信が可能な電話機とは異なる別の電話が最初にデジタルネットワークに接続されたときに、前記別の電話の性能を判定する回路と、
ネットワークを介して前記別の電話機に、グラフィカルインタフェース情報を送信する回路と、
前記ネットワークを介して前記別の電話機から前記グラフィカルインタフェースを介して入力されたイベントを示す、制御情報を受信する回路と、
前記制御情報に応答して前記既知のプロトコルに準拠する命令を生成する回路と、
を含むグラフィカルプロキシサーバ。
【請求項８】
前記既知のプロトコルが、ＳＩＰである請求項７に記載のグラフィカルプロキシサーバ。
【外国語明細書】
2010200378.tif 000007
2010200378.tif 000008
2010200378.tif 000009
2010200378.tif 000010
2010200378.tif 000011
2010200378.tif 000012
2010200378.tif 000013
2010200378.tif 000014
2010200378.tif 000015
2010200378.tif 000016
2010200378.tif 000017
2010200378.tif 000018
2010200378.tif 000019
2010200378.tif 000020
2010200378.tif 000021
2010200378.tif 000022